(57)【要約】【課題】液体収容部内のインクの液面を見易くするための照明を、適切な位置に配置することが困難な場合がある。【解決手段】プリンター１は、記録ヘッド１０を備え、媒体搬送方向と交差する幅方向に移動可能に構成されるキャリッジ２０と、記録ヘッド１０に供給されるインクを収容するとともに、キャリッジ２０に搭載される液体収容部２４であって、インクを注入可能な注入口２５を備え、光を透過可能な材料で形成される液体収容部２４と、液体収容部２４に設けられ、液体収容部２４内の液面の位置を視認可能な視認部４０と、光を発する照明部５０と、視認部４０が向く方向を前方とした場合に、照明部５０から発せられた光を視認部４０に対して後方から当たるように導く導光部６０と、を備える。【選択図】図１０
2020152043.tif 000002
【特許請求の範囲】
【請求項１】
搬送される媒体に液体を吐出して記録を行う記録ヘッドと、
前記記録ヘッドを備え、媒体搬送方向と交差する幅方向に移動可能に構成されるキャリッジと、
前記記録ヘッドに供給される前記液体を収容するとともに、前記キャリッジに搭載される液体収容部であって、前記液体を注入可能な注入口を備え、光を透過可能な材料で形成される液体収容部と、
前記液体収容部に設けられ、前記液体収容部内の液面の位置を視認可能な視認部と、
光を発する照明部と、
前記視認部が向く方向を前方とした場合に、前記照明部から発せられた光を前記視認部に対して後方から当たるように導く導光部と、を備える、
ことを特徴とする記録装置。
【請求項２】
請求項１に記載の記録装置において、
前記照明部は、前記液体収容部に対して鉛直方向下方に設けられる、
ことを特徴とする記録装置。
【請求項３】
請求項１に記載の記録装置において、
前記照明部は、前記液体収容部に対して前記幅方向の側方に設けられる、
ことを特徴とする記録装置。
【請求項４】
請求項１から請求項３のいずれか一項に記載の記録装置において、
前記液体収容部は、前面、背面、側面、底面、及び天面を備える複数の液体タンクを備え、
前記導光部は、前記複数の液体タンクのそれぞれの前記視認部の後方に設けられる複数の導光体を備え、
前記照明部は、前記複数の導光体のそれぞれに光を導入するための複数の光源を備える、
ことを特徴とする記録装置。
【請求項５】
請求項１から請求項３のいずれか一項に記載の記録装置において、
前記液体収容部は、前面、背面、側面、底面、及び天面を備える複数の液体タンクを備え、
前記導光部は、前記複数の液体タンクのそれぞれの前記視認部の後方に設けられる複数の導光体を備え、
前記照明部は、位置が固定される一つの光源を備え、
前記キャリッジが前記幅方向に移動することで、前記一つの光源から、前記複数の導光体のうちの一つに光が導入されるように構成される、
ことを特徴とする記録装置。
【請求項６】
請求項１から請求項３のいずれか一項に記載の記録装置において、
前記液体収容部は、前面、背面、側面、底面、及び天面を備え、前記幅方向に並んで配置される複数の液体タンクを備え、
前記照明部は、一つの光源を備え、
前記導光部は、前記一つの光源から発せられる光を導く一つの導光体を備え、前記導光体は、前記複数の液体タンクに対して前記幅方向に亘って重なるように配置されている、
ことを特徴とする記録装置。
【請求項７】
請求項４から請求項６のいずれか一項に記載の記録装置において、
前記複数の液体タンクは、前記前面と前記背面との間に前記導光部を配置可能なスリットを備える、
ことを特徴とする記録装置。
【請求項８】
請求項４から請求項６のいずれか一項に記載の記録装置において、
前記導光部は、前記液体タンクの内部に設けられている、
ことを特徴とする記録装置。
【請求項９】
請求項１から請求項８のいずれか一項に記載の記録装置において、
前記キャリッジの移動領域を内部に備える筐体と、
原稿を載置する原稿台及び前記原稿台に載置された原稿を読み取る読み取り手段を備えるとともに前記筐体に対して回動可能に設けられ、回動することにより前記筐体の上部を開閉可能なスキャナーユニットを備え、
前記照明部は、前記スキャナーユニットが前記筐体に対して閉じた閉状態の場合に消灯され、前記スキャナーユニットが前記閉状態から開いた場合に点灯される、
ことを特徴とする記録装置。
【請求項１０】
請求項９に記載の記録装置において、
前記スキャナーユニットに設けられ、第１姿勢と、前記第１姿勢よりも前記原稿台に対して平行に近い姿勢である第２姿勢との間でチルト可能なパネルユニットを備え、
前記照明部は、前記パネルユニットが前記第１姿勢である場合に消灯され、前記パネルユニットが前記第１姿勢から第２姿勢に向けてチルトした場合に点灯される、
ことを特徴とする記録装置。
【請求項１１】
請求項９または請求項１０に記載の記録装置において、
前記スキャナーユニットを開いた状態において、前記液体収容部に前記液体を補充可能に構成される、
ことを特徴とする記録装置。
【発明の詳細な説明】
【技術分野】
【０００１】
本発明は、媒体に液体を吐出して記録を行う記録装置に関する。
【背景技術】
【０００２】
記録装置の一例としてのインクジェットプリンターには、媒体に液体としてのインクを吐出して記録を行う記録ヘッドと、記録ヘッドに供給するインクを収容する液体収容部とを備え、液体収容部が、記録によって消費される前記インクを補充できるように構成されるものがある。
【０００３】
液体収容部には、特許文献１に示されるように、液体収容部の一部或いは全体が、インクの液面を視認可能な材料で形成され、ユーザーが一見してインク残量を確認できるように構成されるものがある。    特許文献１に記載の記録装置において、液体収容部としてのインクタンクの上部には、蛍光灯等のランプが設けられており、ランプで光を当てることにより液体収容部内のインク残量を見易くするように構成されている。
【先行技術文献】
【特許文献】
【０００４】
【特許文献１】特開２００４−１４２３２５号公報
【発明の概要】
【発明が解決しようとする課題】
【０００５】
特許文献１において、ランプは装置本体の上カバーの裏側に設けられている。液体収容部内のインクの液面を見易くするためには、液体収容部における液体視認面の後方から光を当てることが好ましいが、そのような位置にランプを配置することが困難な場合がある。
【課題を解決するための手段】
【０００６】
上記課題を解決する本発明の記録装置は、搬送される媒体に液体を吐出して記録を行う記録ヘッドと、前記記録ヘッドを備え、媒体搬送方向と交差する幅方向に移動可能に構成されるキャリッジと、前記記録ヘッドに供給される前記液体を収容するとともに、前記キャリッジに搭載される液体収容部であって、前記液体を注入可能な注入口を備え、光を透過可能な材料で形成される液体収容部と、前記液体収容部に設けられ、前記液体収容部内の液面の位置を視認可能な視認部と、光を発する照明部と、前記視認部が向く方向を前方とした場合に、前記照明部から発せられた光を前記視認部に対して後方から当たるように導く導光部と、を備えることを特徴とする。
【図面の簡単な説明】
【０００７】
【図１】第１実施形態に係るプリンターの外観斜視図。
【図２】第１実施形態に係るプリンターにおいてパネルユニットをチルト姿勢にした状態を示す斜視図。
【図３】第１実施形態に係るプリンターにおいてスキャナーユニットを完全に開いた状態を示す斜視図。
【図４】第１実施形態に係るプリンターにおいて、スキャナーユニットを完全に開き、キャリッジを液体収容部にインクを補充する際の位置に移動した状態を示す斜視図。
【図５】第１実施形態に係るプリンターの側断面図。
【図６】第１実施形態に係るプリンターにおいてスキャナーユニットの原稿台カバーを開いた状態を示す斜視図。
【図７】液体収容部を構成するインクタンクの概略斜視図。
【図８】複数のインクタンクを並べて構成した液体収容部の概略斜視図。
【図９】図４に示されるプリンターにおけるキャリッジ周辺を図４とは異なる角度から見た斜視図。
【図１０】図９のＡ−Ａ矢視断面図。
【図１１】図９のＢ−Ｂ矢視断面図。
【図１２】図９の正面図。
【図１３】第１実施形態に係るプリンターから原稿台カバー、枠部材、及びパネルユニットを外した状態を示す斜視図。
【図１４】スキャナーユニット及びパネルユニットを下方から見た斜視図。
【図１５】液体収容部の水平断面の斜視図。
【図１６】庇部材の他の例について説明する斜視図。
【図１７】庇部材の更に他の例について説明する斜視図。
【図１８】第２実施形態について説明する図。
【図１９】図１８のＣ−Ｃ矢視断面図。
【図２０】第３実施形態について説明する図。
【図２１】第４実施形態について説明する図。
【図２２】図２１のＤ−Ｄ矢視断面図。
【発明を実施するための形態】
【０００８】
以下、本発明について概略的に説明する。  
第１の態様に係る記録装置は、搬送される媒体に液体を吐出して記録を行う記録ヘッドと、前記記録ヘッドを備え、媒体搬送方向と交差する幅方向に移動可能に構成されるキャリッジと、前記記録ヘッドに供給される前記液体を収容するとともに、前記キャリッジに搭載される液体収容部であって、前記液体を注入可能な注入口を備え、光を透過可能な材料で形成される液体収容部と、前記液体収容部に設けられ、前記液体収容部内の液面の位置を視認可能な視認部と、光を発する照明部と、前記視認部が向く方向を前方とした場合に、前記照明部から発せられた光を前記視認部に対して後方から当たるように導く導光部と、を備えることを特徴とする。
【０００９】
本態様によれば、前記照明部から発せられた光を前記導光部によって導いて、前記視認部の後方から光を当てることができるので、前記視認部の良好な視認性を得るための前記照明部の配置の設計自由度を向上させることができる。
【００１０】
第２の態様は、第１の態様において、前記照明部は、前記液体収容部に対して鉛直方向下方に設けられる、ことを特徴とする。  
本態様によれば、前記液体収容部の鉛直方向下方のスペースを利用して前記照明部を設けることができる。
【００１１】
第３の態様は、第１の態様において、前記照明部は、前記液体収容部に対して前記幅方向の側方に設けられる、ことを特徴とする。  
本態様によれば、前記液体収容部に対して前記幅方向の側方のスペースを利用して前記照明部を設けることができる。
【００１２】
第４の態様は、第１の態様から第３の態様のいずれかにおいて、前記液体収容部は、前面、背面、側面、底面、及び天面を備える複数の液体タンクを備え、前記導光部は、前記複数の液体タンクのそれぞれの前記視認部の後方に設けられる複数の導光体を備え、前記照明部は、前記複数の導光体のそれぞれに光を導入するための複数の光源を備える、ことを特徴とする。
【００１３】
本態様によれば、前記液体収容部が液体タンクを複数備える場合に、各々の前記液体タンクに対して個別の光源と導光体を設けるので、例えば液体の補充が必要な液体タンクに対してだけ光を当てて、液体残量を視認し易くすることができる。
【００１４】
第５の態様は、第１の態様から第３の態様のいずれかにおいて、前記液体収容部は、前面、背面、側面、底面、及び天面を備える複数の液体タンクを備え、前記導光部は、前記複数の液体タンクのそれぞれの前記視認部の後方に設けられる複数の導光体を備え、前記照明部は、位置が固定される一つの光源を備え、前記キャリッジが前記幅方向に移動することで、前記一つの光源から、前記複数の導光体のうちの一つに光が導入されるように構成される、ことを特徴とする。
【００１５】
本態様によれば、一つの光源によって、前記複数の導光体のうちの一つのみに光を導入し、複数の前記液体タンクのうちの一つの液体残量を際立たせて視認し易くすることができる。
【００１６】
第６の態様は、第１の態様から第３の態様のいずれかにおいて、前記液体収容部は、前面、背面、側面、底面、及び天面を備え、前記幅方向に並んで配置される複数の液体タンクを備え、前記照明部は、一つの光源を備え、前記導光部は、前記一つの光源から発せられる光を導く一つの導光体を備え、前記導光体は、前記複数の液体タンクに対して前記幅方向に亘って重なるように配置されている、ことを特徴とする。
【００１７】
本態様によれば、一つの光源と一つの導光体によって、前記複数の液体タンクに対して光を当てて液体残量を視認し易くすることができる。
【００１８】
第７の態様は、第４の態様から第６の態様のいずれかにおいて、前記複数の液体タンクは、前記前面と前記背面との間に前記導光部を配置可能なスリットを備える、ことを特徴とする。
【００１９】
本態様によれば、前記複数の液体タンクは、前記前面と前記背面との間に前記導光部を配置可能なスリットを備えるので、例えば前記液体タンクの背面の後方から光を当てる場合よりも、前記視認部に近い位置に光を導くことができる。以って、前記液体タンク内の前記液体の液面の位置の視認性を向上させることができる。
【００２０】
第８の態様は、第４の態様から第６の態様のいずれかにおいて、前記導光部は、前記液体タンクの内部に設けられている、ことを特徴とする。
【００２１】
本態様によれば、前記導光部は、前記液体タンクの内部に設けられているので、例えば前記液体タンクの背面の後方から光を当てる場合よりも、前記視認部に近い位置に光を導くことができる。以って、前記液体タンク内の前記液体の液面の位置の視認性を向上させることができる。
【００２２】
第９の態様は、第１の態様から第８の態様のいずれかにおいて、前記キャリッジの移動領域を内部に備える筐体と、原稿を載置する原稿台及び前記原稿台に載置された原稿を読み取る読み取り手段を備えるとともに前記筐体に対して回動可能に設けられ、回動することにより前記筐体の上部を開閉可能なスキャナーユニットを備え、前記照明部は、前記スキャナーユニットが前記筐体に対して閉じた閉状態の場合に消灯され、前記スキャナーユニットが前記閉状態から開いた場合に点灯される、ことを特徴とする。
【００２３】
本態様によれば、前記スキャナーユニットを開いたときに、前記液体収容部の液体残量を視認し易い構成とすることができる。
【００２４】
第１０の態様は、第９の態様において、前記スキャナーユニットに設けられ、第１姿勢と、前記第１姿勢よりも前記原稿台に対して平行に近い姿勢である第２姿勢との間でチルト可能なパネルユニットを備え、前記照明部は、前記パネルユニットが前記第１姿勢である場合に消灯され、前記パネルユニットが前記第１姿勢から第２姿勢に向けてチルトした場合に点灯される、ことを特徴とする。
【００２５】
本態様によれば、前記パネルユニットが第１姿勢から第２姿勢に向けてチルトした場合に前記照明部が点灯されるので、前記液体収容部の液体残量を視認し易い構成とすることができる。また、前記パネルユニットが前記第１姿勢の場合には前記照明部が消灯されるので、電力の消費を抑えることができる。
【００２６】
第１１の態様は、第９の態様または第１０の態様において、前記スキャナーユニットを開いた状態において、前記液体収容部に前記液体を補充可能に構成される、ことを特徴とする。  
本態様によれば、前記液体収容部に前記液体を補充するに当たり、前記液体収容部の液体残量を視認し構成とすることができる。
【００２７】
［第１実施形態］
以下、図を参照して、本発明の一実施形態に係る記録装置の概略について説明する。本実施形態において、記録装置の一例としてインクジェットプリンター１を挙げる。インクジェットプリンター１は、以下、単にプリンター１と称するものとする。  
尚、各図において示すＸ−Ｙ−Ｚ座標系はＸ軸方向が装置幅方向、Ｙ軸方向が装置奥行き方向、Ｚ軸方向が装置高さ方向を示している。また、＋Ｙ方向を装置前方とし、−Ｙ方向を装置後方とする。また、装置前方から見て左を＋Ｘ方向、右を−Ｘ方向とする。また、＋Ｚ方向を上方とし、−Ｚ方向側を下方とする。  
また、プリンター１において媒体が搬送されていく搬送方向を「下流」といい、これと反対の方向を「上流」という。
【００２８】
＜プリンターの概要＞
図１に示されるプリンター１は、後述するキャリッジ２０の移動領域を内部に備える筐体２と、筐体２の上部に設けられ、原稿の画像を読み取るスキャナーユニット４を備えている。即ちプリンター１は、記録機能に加えて画像読取機能を備える複合機として構成されている。  
プリンター１において、記録が行われる媒体としては、例えば、普通紙の他、普通紙よりも厚いハガキや名刺等の厚紙、普通紙よりも薄い薄紙、写真用の光沢紙等の用紙が挙げられる。また、プリンター１は、ＣＤやＤＶＤのようなディスク型メモリーのラベル面への記録も可能に構成されている。
【００２９】
プリンター１は、搬送される媒体Ｐに対して液体としてのインクを吐出して記録を行う記録ヘッド１０と、記録ヘッド１０を支持するキャリッジ２０とを備え、記録ヘッド１０から媒体Ｐに向けてインクを吐出することで記録を行うように構成される記録部８を備えている。キャリッジ２０は、記録を行う際の媒体搬送方向に沿うＹ軸方向と交差する幅方向（Ｘ軸方向）に往復移動可能に構成されている。
【００３０】
スキャナーユニット４は、筐体２に対して回動可能に設けられ、回動することにより筐体２の上部を開閉可能に構成されている。図１には、スキャナーユニット４が筐体２に対して閉じた閉状態が表されており、図３にはスキャナーユニット４が筐体２に対して完全に開いた状態を示している。
【００３１】
図１において、プリンター１の装置前方である＋Ｙ方向には、操作部６を備えるパネルユニット１３が設けられている。操作部６は、記録や画像読み取りのための各種設定操作や実行操作の他、設定内容や画像のプレビュー表示などを行うことができる。  
パネルユニット１３はスキャナーユニット４に設けられ、図１に示されるように、パネル面としての操作面６ａが前方を向く状態から、図２に示されるように、操作面６ａが図１の状態よりも上を向く方向にチルト可能に構成されている。  
スキャナーユニット４及びパネルユニット１３の構成については後で詳しく説明する。
【００３２】
筐体２の前面２ａの下部には、下部カバー７が設けられている。尚、筐体２の前面２ａは図１では見えていないが、図２及び図３に示されている。  
下部カバー７を図５において点線で示すように開くことにより、記録前の媒体Ｐを収容する媒体トレイ１１と、記録後に排出される媒体を受ける排出トレイ１２が露呈するように構成されている。
【００３３】
排出トレイ１２は、図５において実線で示されるように筐体２に収納された収納状態と、図５において点線で示されるように筐体２の前方側に突出した突出状態と、を切換可能に構成されており、突出状態で記録後の媒体を受けることができる。排出トレイ１２は、不図示のモーターによって収納状態と突出状態とを切り換え可能に構成されている。
【００３４】
媒体トレイ１１には複数枚の媒体Ｐを収容可能であり、筐体２に対して着脱可能となっている。媒体トレイ１１は、図５に示されるように筐体２に装着された状態で、媒体Ｐを後述する媒体搬送経路Ｔに送り出すことができるようになっている。また、媒体トレイ１１は、前方（＋Ｙ方向）に引き出した状態で媒体Ｐを補充することができる。
【００３５】
＜プリンターにおける媒体搬送経路について＞
続いて、図５を参照しつつプリンター１における媒体搬送経路Ｔについて説明する。  
媒体搬送経路Ｔは、プリンター１の装置下部に設けられる媒体トレイ１１から記録部８による記録領域に向けて搬送される媒体Ｐの搬送経路である。  
媒体トレイ１１にセットされた媒体Ｐは、給送ローラー１６によってピックアップされて媒体搬送経路Ｔに送り出される。より具体的には、不図示の駆動源によって回転駆動される給送ローラー１６は、揺動軸１９ａを中心に揺動するローラー支持部材１９に設けられており、媒体トレイ１１に収容された複数の媒体Ｐの最上位のものと接して回転することにより、その最上位の媒体Ｐを媒体トレイ１１から装置後方（−Ｙ方向）に送り出す。
【００３６】
給送ローラー１６の下流には、不図示の駆動源によって回転駆動される中間ローラー１７が設けられており、この中間ローラー１７によって媒体Ｐは湾曲反転させられ、装置前方（＋Ｙ方向）へと送られる。尚、符号１８ａ、１８ｂ、１８ｃ、１８ｄは中間ローラー１７に従動回転可能な従動ローラーであり、媒体は、従動ローラー１８ａと中間ローラー１７とによってニップされ、続いて従動ローラー１８ｂと中間ローラー１７とによってニップされ、更に従動ローラー１８ｃと中間ローラー１７とによってニップされて、下流へと送られる。従動ローラー１８ｄについては後で説明する。
【００３７】
中間ローラー１７の下流には、搬送ローラー対２１が設けられており、搬送ローラー対２１によって媒体が記録ヘッド１０の下方へと送られる。搬送ローラー対２１は、図５において、下側のローラーが不図示の駆動源により回転駆動され、上側のローラーが下側のローラーに従動回転する。
【００３８】
搬送ローラー対２１の下流には、記録部８が設けられている。記録部８において、インクを吐出する記録ヘッド１０は、キャリッジ２０の底部に設けられている。キャリッジ２０には、記録ヘッド１０に供給されるインクを収容する液体収容部２４が搭載されている。  
キャリッジ２０は、図示しない駆動源によって幅方向（Ｘ軸方向）に往復移動可能に構成されている。液体収容部２４については後で更に詳しく説明する。  
記録ヘッド１０と対向する位置には、媒体搬送経路Ｔを搬送される媒体を支持する媒体支持部材２３が設けられ、媒体支持部材２３によって、媒体と記録ヘッド１０との間隔が規定される。媒体と記録ヘッド１０との間隔は、ギャップとも言う。
【００３９】
媒体支持部材２３の下流には排出ローラー対２２が設けられている。排出ローラー対２２も、搬送ローラー対２１と同様に、下側のローラーが不図示の駆動源により回転駆動され、上側のローラーが下側のローラーに従動回転するように構成されている。記録部８による記録後の媒体Ｐは、排出ローラー対２２により、図５において点線で示されるように突出状態にされた排出トレイ１２に向けて排出される。
【００４０】
尚、プリンター１は、媒体Ｐの第１面と、その反対面の第２面に記録を行う両面記録を実行可能に構成されている。両面記録を行う場合には、第１面への記録後、媒体Ｐをスイッチバックさせて−Ｙ方向に送る。スイッチバックされた媒体Ｐは、従動ローラー１８ｄと中間ローラー１７とによってニップされて、媒体搬送経路Ｔに合流させることができる。媒体Ｐは中間ローラー１７によって反転され、第２面が記録ヘッド１０と対向した状態で記録ヘッド１０の下方に搬送され、第２面への記録が行われる。
【００４１】
また、プリンター１は、記録が行われる媒体Ｐを装置後方の上部に設けられる上部供給口９からも供給可能に構成されている。上部供給口９は、給送口カバー３を開くことで開放される。上部供給口９から供給された媒体Ｐは、搬送ローラー対２１の上流から媒体搬送経路Ｔに入り、記録ヘッド１０による記録が行われる。
【００４２】
＜スキャナーユニットについて＞
プリンター１において、スキャナーユニット４は、図３に示されるように筐体２に対して回動可能に設けられている。スキャナーユニット４は、装置後方、すなわち−Ｙ方向に回動軸を有し、装置前方、すなわち＋Ｙ方向を自由端４ａとして回動することで、筐体２の上部を開閉可能に構成されている。
【００４３】
スキャナーユニット４は、図５に示すように、原稿を読み取る読み取り手段としての読取部３１を内部に備えるスキャナー本体３０と、スキャナー本体３０の上部に設けられる原稿台３２を開閉可能な原稿台カバー５を備えている。原稿台カバー５を図６のように開くと、原稿台３２が露呈する。読取部３１は、原稿台３２に載置された原稿を読み取る。原稿は、読み取り面を原稿台３２と対向させるようにして原稿台３２に載置される。
【００４４】
スキャナーユニット４において、原稿台３２は、図５及び図６に示されるようにスキャナー本体３０の上に配置され、枠部材３８によって四辺の外周が押さえられている。
【００４５】
原稿台カバー５において、閉じた際に原稿台３２と対向する面には、図６に示されるように、原稿を押さえる押さえ板３３が設けられている。  
尚、パネルユニット１３はスキャナー本体３０に設けられており、原稿台カバー５は単体で開閉することができる。
【００４６】
＜パネルユニットについて＞
パネルユニット１３は、前述のようにスキャナーユニット４のスキャナー本体３０に対して回動可能に設けられている。  
図３に示されるように、筐体２の前面２ａには切り欠き１５が設けられており、パネルユニット１３は、図１に示される第１姿勢と、図２に示されるように、第１姿勢よりも原稿台３２（図６を参照）に対して平行に近い姿勢である第２姿勢との間でチルト可能に構成されている。図１に示されるパネルユニット１３の第１姿勢において、切り欠き部１５（図３を参照）はパネルユニット１３によって覆われている。図２に示されるパネルユニット１３の第２姿勢では、切り欠き部１５が開放される。
【００４７】
本実施形態において、パネルユニット１３は、図１に示す第１姿勢の状態を０°として、操作面６ａが上を向く方向に８０°までチルト可能に構成されている。図２に示す第２姿勢は、パネルユニット１３が傾斜角８０°でチルトした状態を示している。
【００４８】
また、プリンター１において、パネルユニット１３は、スキャナーユニット４の自由端４ａに設けられている。このことにより、スキャナーユニット４の回動方向とパネルユニット１３の回動方向とが同じとなり、ユーザーがパネルユニット１３を正面視した状態でのプリンター１の操作性が良好となる。
【００４９】
＜液体収容部について＞
プリンター１において、図３に示されるキャリッジ２０に搭載される液体収容部２４には、記録を行うことによって減ったインクを補充容器２８から補充することができる。  
プリンター１は、図３のようにスキャナーユニット４を開いた状態において、液体収容部２４にインクを補充可能に構成されている。
【００５０】
図３に示されるように、キャリッジ２０に搭載される液体収容部２４は、複数の色に対応する複数の液体タンクであるインクタンク２４Ａ、２４Ｂ、２４Ｃ、２４Ｄ、及び２４Ｅを備えている。インクタンク２４Ａ、２４Ｂ、２４Ｃ、２４Ｄ、及び２４Ｅの上部には、図４に示される注入口２５を閉じるキャップ２６が設けられている。図４には、図を正面視して一番左のインクタンク２４Ａのキャップ２６が開いた状態が示されている。キャップ２６は、装置後方（−Ｙ方向）を軸として回動することにより注入口２５を開閉する。注入口２５に補充容器２８を挿してインクを液体収容部２４に注入することができる。
【００５１】
インクタンク２４Ａ、２４Ｂ、２４Ｃ、２４Ｄ、及び２４Ｅは、図７に示されるように、前面２４ａ、背面２４ｂ、側面２４ｃ、２４ｄ、底面２４ｅ、及び天面２４ｆを備えている。前面２４ａが、装置前方である＋Ｙ方向を向く面である。尚、図７にはインクタンク２４Ａが示されているが、他のインクタンク２４Ｂ、２４Ｃ、２４Ｄ、及び２４Ｅも同様に構成されている。  
液体収容部２４は、図８に示されるように複数のインクタンク２４Ａ、２４Ｂ、２４Ｃ、２４Ｄ、及び２４Ｅが幅方向（Ｘ軸方向）に並んで配置されて、図９に示されるようにキャリッジ２０に納められている。
【００５２】
液体収容部２４には、液体収容部２４内の液面の位置を視認可能な視認部４０が設けられている。図８に示されるインクタンク２４Ａ、２４Ｂ、２４Ｃ、２４Ｄ、及び２４Ｅは光を透過可能な材料で形成されており、インクタンク２４Ａ、２４Ｂ、２４Ｃ、２４Ｄ、及び２４Ｅのそれぞれに対応する視認部４０Ａ、４０Ｂ、４０Ｃ、４０Ｄ、及び４０Ｅは前面２４ａに設けられている。
【００５３】
光を透過可能な材料としては、一例として光透過性の樹脂材料が挙げられる。本実施形態において、インクタンク２４Ａ、２４Ｂ、２４Ｃ、２４Ｄ、及び２４Ｅは光透過性の白色系樹脂材料によって形成されている。インクタンク２４Ａ、２４Ｂ、２４Ｃ、２４Ｄ、及び２４Ｅを白色系樹脂材料で形成することにより、中のインクの色とのコントラストで液面を視認し易くすることができる。
【００５４】
図９に示されるキャリッジ２０の前面２０ａには、視認部４０（視認部４０Ａ、４０Ｂ、４０Ｃ、４０Ｄ、及び４０Ｅ）を露呈させる窓部２７が設けられている。窓部２７には、無職透明な樹脂等の光を吸収しない材料で形成された板状体が嵌め込まれており、板状体を介して視認部４０が見えるようになっている。
【００５５】
ここで、プリンター１は、図１０に示されるように、光を発する照明部５０と、視認部４０が向く方向を前方とした場合に、照明部５０から発せられた光を視認部４０に対して後方から当たるように導く導光部６０と、を備えている。
【００５６】
本実施形態において、図１０に示される導光部６０は、インクタンク２４Ａ、２４Ｂ、２４Ｃ、２４Ｄ、及び２４Ｅのそれぞれの視認部４０Ａ、４０Ｂ、４０Ｃ、４０Ｄ、及び４０Ｅの後方に設けられる複数の導光体６１Ａ、６１Ｂ、６１Ｃ、６１Ｄ、及び６１Ｅを備えている。すなわち、インクタンク２４Ａ、２４Ｂ、２４Ｃ、２４Ｄ、及び２４Ｅのそれぞれに対して、個別に導光体６１Ａ、６１Ｂ、６１Ｃ、６１Ｄ、及び６１Ｅが設けられている。
【００５７】
本実施形態において導光体６１Ａ、６１Ｂ、６１Ｃ、６１Ｄ、及び６１Ｅ（導光部６０）は、図１０及び図１１に示されるように、対応するインクタンク２４Ａ、２４Ｂ、２４Ｃ、２４Ｄ、及び２４Ｅの内部に設けられている（図７も参照）。
【００５８】
照明部５０は、図１０に示されるように、筐体２の内部において、位置が固定される一つの光源５１を備えている。本実施形態において、照明部５０は、液体収容部２４に対して鉛直方向下方に設けられている。そして、キャリッジ２０が幅方向に移動することで、光源５１から、複数の導光体６１Ａ、６１Ｂ、６１Ｃ、６１Ｄ、及び６１Ｅのうちの一つに光が導入されるように構成されている。尚、図１１に示されるように、キャリッジ２０の底部は、導光部６０（図１１においては導光体６０Ｃ）と光源５１の間に位置する部分が切り欠かれているか、透明部材により形成されており、光源５１から発せられる光が導光部６０に進入可能になっている。  
図１０においては、幅方向において光源５１と導光体６１Ｃとが重なる様にキャリッジ２０が位置しており、導光体６１Ｃに光源５１からの光が入り、視認部４０Ｃの後方が光る状態となっている。
【００５９】
このように、一つの光源５１によって、複数の導光体６１Ａ、６１Ｂ、６１Ｃ、６１Ｄ、及び６１Ｅのうちの一つのみに光を導入することで、インクタンク２４Ａ、２４Ｂ、２４Ｃ、２４Ｄ、及び２４Ｅのうちの一つの液体残量を際立たせて視認し易くすることができる。
【００６０】
また、本実施形態のように、導光体６１Ａ、６１Ｂ、６１Ｃ、６１Ｄ、及び６１Ｅがインクタンク２４Ａ、２４Ｂ、２４Ｃ、２４Ｄ、及び２４Ｅの内部に設けられていることにより、視認部４０（視認部４０Ａ、４０Ｂ、４０Ｃ、４０Ｄ、及び４０Ｅ）により近い位置から光を当てることができる。以って、各インクタンク内のインクの液面の位置の視認性を向上させることができる。
【００６１】
視認部４０の後方から光を当てることにより、インクの液面がはっきりと見易くなり、視認部４０における液面の視認性を向上させることができる。  
照明部５０の配置は液体収容部２４の鉛直方向下方に限られず、導光体６１Ａ、６１Ｂ、６１Ｃ、６１Ｄ、及び６１Ｅの形状をＬ字状にしたり湾曲させたりすることで、液体収容部２４の上方、側方、後方、前方に設けることも可能である。  
導光部６０を介して視認部４０の後方から光を当てることができるので、視認部４０における良好な視認性を得るための照明部５０の配置の設計自由度を向上させることができる。
【００６２】
図３において、キャリッジ２０はホームポジションに位置している。ホームポジションは、キャリッジ２０の移動領域の一方の端に設けられており、本実施形態においては−Ｘ方向の端に設定されている。  
図３において筐体２の−Ｘ方向の前方には庇部材１４が設けられており、キャリッジ２０がホームポジションに位置する場合に、キャップ２６が閉じられた状態の液体収容部２４（インクタンク２４Ａ、２４Ｂ、２４Ｃ、２４Ｄ、及び２４Ｅ）が庇部材１４の下方に位置するようになっている。庇部材１４によって、液体収容部２４のキャップ２６が確実に閉まった状態でキャリッジ２０をホームポジションに位置させることができる。
【００６３】
庇部材１４があるため、キャリッジ２０が図３に示すホームポジションに位置する際には液体収容部２４のキャップ２６を開くことができない。液体収容部２４にインクを補充する場合には、例えば操作部６においてインク補充モードを選択することで、図４及び図９に示されるように庇部材１４によってキャップ２６が覆われない位置にキャリッジ２０を移動させることができる。
【００６４】
前述したように、図３に示される筐体２の前面２ａには切り欠き部１５が設けられている。切り欠き部１５は、幅方向において庇部材１４とずれた位置に設けられており、キャリッジ２０が幅方向において切り欠き部１５と重なる位置が、インク補充モードの際のキャリッジ２０停止位置に設定されている。このことにより、液体収容部２４の中のインク量を視認部４０で確認しながらインクを補充することができる。  
尚、以下において、図９に示されるインク補充モードの際のキャリッジ２０停止位置を、インク補充位置と称する場合がある。インク補充モードでは、いずれのインクタンク２４Ａ、２４Ｂ、２４Ｃ、２４Ｄ、及び２４Ｅのインクを補充するかを選択可能であり、選択したインクタンクが照明部５０に対応する位置にくるようにキャリッジ２０が停止する。
【００６５】
インクの補充が完了したら、例えば操作部６においてインク補充モードを終了することでキャリッジ２０がインク補充位置からホームポジションに戻されるように構成することができる。また、スキャナーユニット４が筐体２に対して閉じられたことを検出し、これをトリガーとしてキャリッジ２０をホームポジションに戻す構成とすることもできる。
【００６６】
本実施形態において、照明部５０は、スキャナーユニット４が筐体２に対して閉じた閉状態の場合に消灯され、スキャナーユニット４が閉状態から開いた場合に点灯されるように構成することができる。  
この様な構成は、例えばスキャナーユニット４が開くと閉回路が形成される点灯回路を設けることで実現できる。或いは、スキャナーユニット４の開閉を検出する検出手段を設け、この検出手段の検出信号に基づき、不図示の制御手段が照明部５０を点灯させるようにしても実現できる。  
このことにより、例えばインクの補充を行うためにスキャナーユニット４を開いた際にインク残量を視認し易い構成とすることができる。
【００６７】
視認部４０Ａ、４０Ｂ、４０Ｃ、４０Ｄ、及び４０Ｅには、図１２に示されるように、インクタンク２４Ａ、２４Ｂ、２４Ｃ、２４Ｄ、及び２４Ｅに収容されているインク量の目安となる第１の目盛部４１ａと第２の目盛部４１ｂが設けられている。  
第１の目盛部４１ａは、インクタンク２４Ａ、２４Ｂ、２４Ｃ、２４Ｄ、及び２４Ｅに収容可能な最大収容量のインクが充填されている際の液面位置に対応する。第２の目盛部４１ｂは、最大収容量の半分のインクが充填されている際の液面位置に対応する。  
インクタンク２４Ａ、２４Ｂ、２４Ｃ、２４Ｄ、及び２４Ｅの中のインクが最大収容量の半分よりも減って、液面がキャリッジ２０の前面２０ａに形成された矩形の窓部２７（図９も参照）の下側の辺２７ａよりも下に位置する状態になると、液面は視認部４０において視認不可能となる。視認部４０における液面の位置を確認することで、インク補充を行うか否かの判断や、インクの補充時に補充完了の判断を行うことができる。
【００６８】
また、液体収容部２４内のインク量は、図２に示されるように、スキャナーユニット４を閉じた状態でパネルユニット１３を第２姿勢にチルトすることで確認することもできる。  
スキャナーユニット４を閉じたまま液体収容部２４内のインク量を確認する場合には、例えば操作部６においてインク量確認モードを選択することで、キャリッジ２０を幅方向において切り欠き部１５と重なる位置に移動させることができる。
【００６９】
図１５に示されるように、インクタンク２４Ａの−Ｘ方向の側面２４ｄとインクタンク２４Ｂの＋Ｘ方向の側面２４ｃとの間、及びインクタンク２４Ｂの−Ｘ方向の側面２４ｄとインクタンク２４Ｃの＋Ｘ方向の側面２４ｃの間には、フィルム部材４２が設けられている。フィルム部材４２は、一例として溶着フィルムであり、インクタンク２４Ａとインクタンク２４Ｂ、及びインクタンク２４Ｂとインクタンク２４Ｃはフィルム部材４２を介して一体化されている。  
尚、フィルム部材４２は、インクタンク２４Ｂの幅方向の両側だけでなく、それぞれのインクタンク同士の間に設けられている。
【００７０】
以下、インクタンク２４Ｂを例に挙げて説明する。インクタンク２４Ｂの前面２４ａの幅方向の両側には、前面２４ａに対して立設されたリブ４３が設けられている。すなわち、リブ４３は、前面２４ａに対して＋Ｙ方向に突出するリブである。リブ４３は、他のインクタンク２４Ａ、２４Ｃ、２４Ｄ、及び２４Ｅにも設けられている。  
リブ４３、４３が設けられていることにより、フィルム部材４２がリブ４３で挟まれるので、フィルム部材４２を保護し、フィルム部材４２の剥がれを抑制できる。
【００７１】
＜プリンターにおける他の構成＞
本実施形態において、照明部５０は、パネルユニット１３が図１に示す第１姿勢である場合に消灯され、パネルユニット１３が第１姿勢から図２に示す第２姿勢に向けてチルトした場合に点灯されるように構成することができる。  
パネルユニット１３が第１姿勢から図２に示す第２姿勢に向けてチルトした場合に点灯されることにより、パネルユニット１３をチルトさせてインク残量を確認する際に、視認部４０におけるインク残量の確認を行い易い構成とすることができる。また、パネルユニット１３が第１姿勢の場合には照明部５０が消灯されるので、電力の消費を抑えることができる。  
この様な構成は、例えばパネルユニット１３が第１姿勢からチルトした際に閉回路が形成される点灯回路を設けることで実現できる。或いは、パネルユニット１３の開閉を検出する検出手段を設け、この検出手段の検出信号に基づき、不図示の制御手段が照明部５０を点灯させるようにしても実現できる。
【００７２】
本実施形態において、スキャナーユニット４には、図１３のようにスキャナーユニット４の閉状態において切り欠き部１５を塞ぐカバー部材２９を設けることができる。尚、図１３には、プリンター１から枠部材３８、原稿台カバー５、及びパネルユニット１３が取り外された状態が示されている。カバー部材２９は、図１４に示されるように、パネルユニット１３の後方（−Ｙ方向）に位置するようにスキャナーユニット４に設けられている。  
カバー部材２９が設けられていることにより、スキャナーユニット４の閉状態において切り欠き部１５がカバー部材２９によって覆われるので、プリンター１において記録が行われた際に発生するインクミストがパネルユニット１３の裏面に付着することを抑制することができる。
【００７３】
本実施形態において、カバー部材２９は、無色透明の材料で形成されており、スキャナーユニット４を閉じたままパネルユニット１３をチルトさせて行うインクの残量確認が行えるようになっている。カバー部材２９は、カバー部材２９越しに視認部４０における液面の確認が行えるものであれば、有色透明或いは半透明であってもよい。  
また、カバー部材２９を不透明なもので形成する場合には、操作部６で選択するインク量確認モードを設けない構成とすることができる。
【００７４】
図１４に示されるように、スキャナーユニット４の裏側にランプ３９を設けることができる。ランプ３９は、スキャナーユニット４が筐体２に対して閉じた閉状態の場合に消灯され、スキャナーユニット４が閉状態から開いた場合に点灯されるように構成することができる。スキャナーユニット４が開いた際にランプ３９が点灯されるので、液体収容部２４へのインクの補充や、筐体２内のメンテナンス等を行う際に手元が明るくなり、作業性が向上する。  
この様な構成は、例えばスキャナーユニット４が開くと閉回路が形成される点灯回路を設けることで実現できる。或いは、スキャナーユニット４の開閉を検出する検出手段を設け、この検出手段の検出信号に基づき、不図示の制御手段がランプ３９を点灯させるようにしても実現できる。
【００７５】
また、図１６には庇部材１４の変更例である庇部材１４Ａが示されている。庇部材１４Ａは、幅方向（Ｘ軸方向）において、キャリッジ２０のホームポジションだけでなく、液体収容部２４へのインク補充位置にまで延設されている。庇部材１４Ａは、筐体２の前面２ａに沿う取付面７１を備え、前面２ａの内側に取付面７１が取り付けられて、庇部材１４Ａが筐体２に固定されている。
【００７６】
庇部材１４Ａには、インクタンク２４Ａ、２４Ｂ、２４Ｃ、２４Ｄ、及び２４Ｅのうちの１つのキャップ２６を露呈させて開閉可能にする隙間部７０が形成されている。この構成により、隙間部７０から露呈するキャップ２６のみを開閉することができる。図１６ではインクタンク２４Ｃのキャップ２６が隙間部７０から露呈しており、インクタンク２４Ｃのキャップ２６のみを開閉できる。  
隙間部７０は、幅方向において、図１０に示される照明部５０と重なる位置に形成されている。したがって、キャップ２６を開閉してインクを補充しようとするインクタンク２４Ｃの導光体６１Ｃを光らせることができる。
【００７７】
また、図１６において、取付面７１の下端は視認部４０の上に位置しており、取付面７１によって複数の視認部４０Ａ、４０Ｂ、４０Ｃ、４０Ｄ、及び４０Ｅが覆われないになっているが、図１７に示されるように、取付面７１を下方に延設して視認部４０よりも下に位置させるとともに隙間部７０も下方に延設して、キャップ２６が開閉可能な状態のインクタンク２４Ｃの視認部４０Ｃのみが隙間部７０から露呈するように構成することができる。
【００７８】
［第２実施形態］
以下、図１８及び図１９を参照して第２実施形態について説明する。尚、これ以降に説明する実施形態において、第１実施形態と同様の構成部には第１実施形態と同じ符号を付し、その説明を省略する。  
図示を省略するが、第２実施形態の液体収容部２４は、図８に示される第１実施形態と同様、インクタンク２４Ａ、２４Ｂ、２４Ｃ、２４Ｄ、及び２４Ｅを備えている。
【００７９】
インクタンク２４Ａ、２４Ｂ、２４Ｃ、２４Ｄ、及び２４Ｅは同様に構成されるので、図１８及び図１９では一例としてインクタンク２４Ａを挙げて説明する。  
インクタンク２４Ａは、図１８及び図１９に示されるように、前面２４ａと背面２４ｂとの間に導光部６０としての導光体６１Ａを配置可能なスリット８０を備えている。スリット８０には、導光体６１Ａが配置されている。つまり、本実施形態において、導光体６１Ａ（導光部６０）はインクタンク２４Ａの外側に配置されている。
【００８０】
尚、導光体６１Ａ（導光部６０）をインクタンク２４Ａの外側に配置する場合、導光体６１Ａを、図１８及び図１９に示すインクタンク２４Ａの背面２４ｂの後方（−Ｙ方向）に配置することもできるが、本実施形態のように、インクタンク２４Ａに形成されたスリット８０に導光体６１Ａを配置することにより、インクタンク２４Ａの背面２４ｂの後方から視認部４０Ａに向けて光を当てる場合よりも、視認部４０Ａに近い位置から光を当てることができる。以って、インクタンク２４Ａ内のインクの液面の位置の視認性を向上させることができる。
【００８１】
［第３実施形態］
以下、図２０を参照して第３実施形態について説明する。  
第３実施形態は、図８に示される第１実施形態と同様、液体収容部２４が複数のインクタンク２４Ａ、２４Ｂ、２４Ｃ、２４Ｄ、及び２４Ｅを備え、インクタンク２４Ａ、２４Ｂ、２４Ｃ、２４Ｄ、及び２４Ｅのそれぞれの視認部４０Ａ、４０Ｂ、４０Ｃ、４０Ｄ、及び４０Ｅの後方に個別に設けられる複数の導光体６１Ａ、６１Ｂ、６１Ｃ、６１Ｄ、及び６１Ｅを備えて成る導光部６０を備える構成は第１実施形態と同様である。第３実施形態の照明部５０は、図２０に示されるように複数の導光体のそれぞれに光を導入するための複数の光源５１Ａ、５１Ｂ、５１Ｃ、５１Ｄ、及び５１Ｅを備えている。
【００８２】
複数のインクタンク２４Ａ、２４Ｂ、２４Ｃ、２４Ｄ、及び２４Ｅに対して、個別の光源５１Ａ、５１Ｂ、５１Ｃ、５１Ｄ、及び５１Ｅと、導光体６１Ａ、６１Ｂ、６１Ｃ、６１Ｄ、及び６１Ｅと、を設けるので、例えばインクの補充が必要なインクタンクに対してだけ光を当てて、インク残量を視認し易くすることができる。また、キャリッジ２０をインク補充位置に移動した後、キャリッジ２０を動かすことなくすべての導光体６１Ａ、６１Ｂ、６１Ｃ、６１Ｄ、及び６１Ｅに光を導入することができる。
【００８３】
［第４実施形態］
以下、主として図２１及び図２２を参照して第４実施形態について説明する。  
第４実施形態において、液体収容部２４は、図８に示す第１実施形態の液体収容部２４と同様、幅方向（Ｘ軸方向）に並んで配置される複数の液体タンクとしての複数のインクタンク２４Ａ、２４Ｂ、２４Ｃ、２４Ｄ、及び２４Ｅを備えている。複数のインクタンク２４Ａ、２４Ｂ、２４Ｃ、２４Ｄ、及び２４Ｅは、第２実施形態において図１８及び図１９を参照して説明したインクタンク２４Ａと同様のスリット８０（図２２を参照）を備えている。
【００８４】
本実施形態において、照明部５０は一つの光源５１を備えている。光源５１は、一例として、キャリッジ２０が図９に示されるインク補充位置に停止した際に、液体収容部２４の−Ｘ方向の側方に位置するように配置されている。
【００８５】
本実施形態において、導光部８１は、図２１に示されるように一つの光源５１から発せられる光を導く一つの導光体８２を備え、導光体８２は、複数のインクタンク２４Ａ、２４Ｂ、２４Ｃ、２４Ｄ、及び２４Ｅに対して幅方向に亘って重なるように配置されている。本実施形態において、導光体８２は、Ｌ字状に湾曲した形に形成されている。  
以上のような構成により、一つの光源と一つの導光体８２によって、複数のインクタンク２４Ａ、２４Ｂ、２４Ｃ、２４Ｄ、及び２４Ｅに対して同時に光を当てることができる。
【００８６】
また、本実施形態において、導光体８２（導光部８１）は、図２２に示されるようにスリット８０に配置されているが、スリット８０を備えない複数のインクタンク２４Ａ、２４Ｂ、２４Ｃ、２４Ｄ、及び２４Ｅの背面２４ｂの後方において、幅方向に亘って重なるように導光体８２を配置することも可能である。  
また、照明部５０は、筐体２の内部であって、キャリッジ２０がインク補充可能位置に位置した場合に導光体８２の下端と対向する位置に設けることができる他、キャリッジ２０に設けてもよい。
【００８７】
尚、上記実施形態においては、液体収容部２４として複数のインクタンク２４Ａ、２４Ｂ、２４Ｃ、２４Ｄ、及び２４Ｅを備える構成としたが、例えば黒色のみの単色で記録を行う、所謂モノクロプリンターの場合には、液体収容部２４を一つのインクタンクで形成することができる。
【００８８】
また、本発明は上記実施形態に限定されることなく、特許請求の範囲に記載した発明の範囲内で種々の変形が可能であり、それらも本発明の範囲内に含まれるものであることは言うまでもない。
【符号の説明】
【００８９】
１…インクジェットプリンター（記録装置）、２…筐体、３…給送口カバー、４…スキャナーユニット、５…原稿台カバー、６…操作部、６ａ…操作面（パネル面）、７…下部カバー、８…記録部、９…上部供給口、１０…記録ヘッド、１１…媒体トレイ、１２…排出トレイ、１３…パネルユニット、１４、１４Ａ…庇部材、１５…切り欠き部、１６…給送ローラー、１７…中間ローラー、１８ａ、１８ｂ、１８ｃ、１８ｄ…従動ローラー、１９…ローラー支持部材、１９ａ…揺動軸、２０…キャリッジ、２１…搬送ローラー対、２２…排出ローラー対、２３…媒体支持部材、２４…液体収容部、２４Ａ、２４Ｂ、２４Ｃ、２４Ｄ、２４Ｅ…インクタンク、２５…注入口、２６…キャップ、２７…窓部、２８…補充容器、２９…カバー部材、３０…スキャナー本体、３１…読取部（読み取り手段）、３２…原稿台、３３…押さえ板、３８…枠部材、３９…ランプ、４０、４０Ａ、４０Ｂ、４０Ｃ、４０Ｄ、４０Ｅ…視認部、４１ａ…第１の目盛部、４１ｂ…第２の目盛部、４２…フィルム部材、４３…リブ、５０…照明部、５１…光源、６０…導光部、６１Ａ、６１Ｂ、６１Ｃ、６１Ｄ、６１Ｅ…導光体、７０…隙間部、７１…取付面、８０…スリット、８１…導光部
【図１】
2020152043.tif 000003
【図２】
2020152043.tif 000004
【図３】
2020152043.tif 000005
【図４】
2020152043.tif 000006
【図５】
2020152043.tif 000007
【図６】
2020152043.tif 000008
【図７】
2020152043.tif 000009
【図８】
2020152043.tif 000010
【図９】
2020152043.tif 000011
【図１０】
2020152043.tif 000012
【図１１】
2020152043.tif 000013
【図１２】
2020152043.tif 000014
【図１３】
2020152043.tif 000015
【図１４】
2020152043.tif 000016
【図１５】
2020152043.tif 000017
【図１６】
2020152043.tif 000018
【図１７】
2020152043.tif 000019
【図１８】
2020152043.tif 000020
【図１９】
2020152043.tif 000021
【図２０】
2020152043.tif 000022
【図２１】
2020152043.tif 000023
【図２２】
2020152043.tif 000024